(57)【要約】      （修正有）【課題】食品棚の奥に配置した食品の出し入れを簡易に可能とすると共に、食品の賞味期限の確認や品質管理を容易とし、より利便性を向上させた冷蔵庫用食品棚を提供する。【解決手段】冷蔵庫の内部の食品棚を従来の四角形から二重構造の円形にして、上の部分を水平に３６０度回転出来るように二重構造の中間に車輪またはキャスターを数カ所に取り付けて上部の食品棚を回転させて、食品棚の奥の物を簡単に取り出せるようにしたのがこの新発明の回転する二重構造の食品棚の冷蔵庫である。【選択図】図２
0003113325.tif 000002
【実用新案登録請求の範囲】
【請求項１】
冷蔵庫の内部の食品棚を従来の四角形から二重構造の円形にしてその間に車輪もしくはボール・ベアリングを数箇所取り付けることにより、上部分が水平に左右にどちらにも３６０度回転出来るようにしたのが特徴である。
この新発明の３６０度、水平左右に回転できる食器棚の新考案により、今までは冷蔵庫の食品棚の奥に物を入れたり、出したりするのが困難であったがこの発明により簡単に誰にでも奥の物の出し入れが出来るようになった。
この新発明の３６０度水平に回転する二重構造の食器棚の新考案により、ホテルの食堂やレストラン、結婚式場等の大型冷蔵庫に採用すれば、今まで奥に入れたビール等の酒類やジュース類の飲み物も簡単に出し入れが出来て大変便利である。
この新発明により食品の賞味期限の確認や品質管理も簡単に出来るようになった。さらにこの新発明により元来、本体が四角い冷蔵庫から今までに無かった丸型の冷蔵庫の製作が可能となり大変便利になる。
【考案の詳細な説明】
【技術分野】
【０００１】  本考案は、冷蔵庫の中の食品棚を円形の二重構造にして上部分のみがキャスターにより水平に３６０度回転できる構造とした冷蔵庫。
【背景技術】
【０００２】  冷蔵庫内の食品棚の奥に食品を入れたり取り出すとき、奥の物の出し入れが大変不便であった。
【考案の開示】
【考案が解決しようとする課題】
【０００３】  従来，冷蔵庫の内部の食品棚は基本的に四角形で数段に分かれていて、各食器棚に奥から順に食品を入れて置き、奥の物を取り出すときは手を伸ばして奥の物を取り出すか、または手前のものを一度、外に出してから奥のものを取り出す方法であり、また奥に入れるときも手前の物が支障して奥に入れ難く大変不便であり、また賞味期限の管理も出来ないという問題点を有していた。
【課題を解決するための手段】
【０００４】  上記問題を解決するために、冷蔵庫の内部の食品棚を従来の四角形から円形にし、上下二重構造としてその中間に小さな車輪、またはボールベアリング等を設置して上部の部分のみが水平に３６０度回転出来る仕組みを新開発し、食器棚の奥に食品を簡単に入れたり、奥の物を簡単に取り出したり出来るようにした。
また賞味期限の確認や奥にある物の確認もこの新発明の食器棚を回転させることにより簡単に出来るようにした。また上部の回転版には、六等分にして一から六までの数字を順番に書いて食品の管理を簡単に出来るようにしたのもこの開発の特徴である。また冷気の通気を勘案して二重構造の食品棚を、上下とも網目または通気口を適度に設けて冷蔵効果の効率を確保するものとする。
【考案の効果】
【０００５】  この新発明により冷蔵庫内の食器棚を四角型から二重構造の円形にして水平に３６０度回転出来るようにしたことにより、従来食品棚の奥に食品を入れるときや、取り出す事が大変不便であったが、この新考案により食品棚の奥にある食品の出し入れが簡単に出来るようになった。
また商業用では大型レストランやホテルの食堂などで大型冷蔵庫に大量のビール等を冷蔵しているが、この新発明により３６０度回転出来るので、奥に入れた物でも簡単に取り出せるために賞味期限の確認や品質管理に大変に役に立つものである。
また、子供や車椅子の身障者にも簡単に食品の出し入れが可能であり、誰にでも優しい冷蔵庫である。
【考案を実施するための最良の形態】
【０００６】  冷蔵庫内の食品棚を従来の四角形でただ食品を載せて冷蔵するだけの機能から、各棚を、二重構造にして上の部分を円形にし、その中間に車輪またはキャスターを取り付けて上の部分だけを手動で簡単に３６０度左右に回転出来るようにさせて、奥の品物の出し入れが簡単に出来るように新開発した。
【実施例】
【０００７】以下、添付図面に従って一実施例を説明する。
Ａは冷蔵庫本体の外側でＢは円形で二重構造の回転する上の棚でＣは回転するためのキャスターでＤは上の回転盤を支えるプレートである。Ｅは棚を固定する部分である。Ｈは品物をガードし、Ｉは新開発のプレートを回転させるキャスターです。
Ｇはキャスターが円形に回転するレール部分です。Ｌは上部プレートの回転のブレを防ぐセンターピンです。Ｍは下のプレートの全体です。
【産業上の利用可能性】
【０００８】  この製品を製造することにより、企業の発展や活性化に貢献し、また製品化して一般家庭用の大きさのものや、商業用として大型のものを発売すれば、家庭でも、ホテルやレストラン等でも食品等の出し入れや品質管理に大変便利で快適な生活を提供できる。
【図面の簡単な説明】
【０００９】
【図１】  冷蔵庫内部の断面図である。
【図２】  キャスターで３６０度回転する上部の円形な食品棚の図である。
【図３】  二重構造になっている下の部分のプレート図である。
【符号の説明】
【００１０】  Ａ・冷蔵庫本体の外部の図である。
Ｂ・回転する円形の食品棚の部分である。
Ｃ・回転させるためのキャスターである。
Ｄ・二重構造の下のプレートである。
Ｅ・食品棚を支える部分である。
Ｆ・食品棚を六区分にした数字である。
Ｇ・冷気を循環させる気孔である。
Ｈ・食品が回転するときの落下防止のガードである。
Ｉ・上の棚を回転させるためのキャスターである。
Ｊ・キャスターのレール部分である。
Ｌ・回転のブレを防止するセンターピンである。
Ｍ・下のプレートの部分である。
【図１】
0003113325.tif 000003
【図２】
0003113325.tif 000004
【図３】
0003113325.tif 000005
【手続補正書】
【提出日】平成17年6月10日(2005.6.10)
【手続補正４】
【補正対象書類名】実用新案登録請求の範囲
【補正対象項目名】全文
【補正方法】変更
【補正の内容】
【実用新案登録請求の範囲】
【請求項１】
冷蔵庫内に１又は複数段に配置した食品棚において、
下面に複数の車輪又はキャスターを配置した円形の回転盤と、
該回転盤を円形回転自在にして保持する支持プレートと、
から構成したことを特徴とする冷蔵庫用食品棚。
【請求項２】
回転盤と支持プレートに複数の通気口を形成したことを特徴とする請求項１記載の冷蔵庫用食品棚。
【請求項３】
回転盤の上面を放射状六等分に分割すると共に、各分割面上に１から６の連続した数字を記載したことを特徴とする請求項１、又は２記載の冷蔵庫用食品棚。
【手続補正５】
【補正対象書類名】明細書
【補正対象項目名】全文
【補正方法】変更
【補正の内容】
【考案の詳細な説明】
【技術分野】
【０００１】
本考案は、冷蔵庫用食品棚に関し、特に、円形回転自在に構成した冷蔵庫用食品棚に関する。
【背景技術】
【０００２】
冷蔵庫の内部には、四角形の食品棚が数段に分かれて配置されている。このような冷蔵庫の食品棚の一般的な使用は、各食品棚の奥から順に食品を入れて置くため、奥の食品を取り出す時は手を伸ばして取り出すか、または手前に配置した食品を一度、外に出してから奥の食品を取り出していた。逆に食品を奥に入れたい時にも、上記と同様な手順を踏む必要があった。
【考案の開示】
【考案が解決しようとする課題】
【０００３】
かかる食品棚の使用方法では、所定の食品を奥から取り出す、又は収納する時に大変不便である上、食品の賞味期限の管理も出来ないという問題点も有していた。
そこで、本考案は、上記課題に鑑み為されたものであり、食品棚の奥に配置した食品の出し入れを簡易に可能とすると共に、食品の賞味期限の確認や品質管理を容易とし、より利便性を向上させた冷蔵庫用食品棚を提供する。
【課題を解決するための手段】
【０００４】
本考案は、上記課題を解決するため冷蔵庫用食品棚を、以下のように構成している。
すなわち、下面に複数の車輪又はキャスター、ボールベアリングを配置した円形の回転盤と、該回転盤を円形回転自在にして保持する支持プレートと、から構成したことを特徴としている。この構成により、この食品棚を冷蔵庫内に配置すると、食品を配置する回転盤が支持プレートに対して３６０度回転することとなる。
【０００５】
また、回転盤と支持プレートに複数の通気口を形成したことを特徴としている。この通気口を冷蔵庫の冷気が通過するため、冷気の循環が阻害されることはない。
【０００６】
さらに、回転盤の上面を放射状六等分に分割すると共に、各分割面上に１から６の連続した数字を記載したことを特徴としている。この分割面上に、例えば、賞味期限を基準に食品を配置すれば、品質管理の利便に資する。
【考案の効果】
【０００７】
本考案の冷蔵庫用食品棚は、以上のように構成することにより、以下の効果を奏する。
すなわち、冷蔵庫内部において、回転盤が支持プレートに対して３６０度回転するため、回転盤を適宜に回転させるだけで、奥に配置した食品を簡単に取り出せ、逆に奥に簡単に配置することが可能となっている。
また、このような食品配置時の取り扱い性の向上ばかりでなく、回転盤に配置した食品の賞味期限の確認も容易である。
加えて、回転盤の上面を分割して数字を記載しているので、この数字を基準に賞味期限を考慮した配置が可能となり、食品の品質管理の利便性が格段に向上している。
【０００８】
本考案の食品棚を複数段において備えた冷蔵庫は、例えば、大型レストランやホテルの食堂用、結婚式場等の商業用大型冷蔵庫に大量のビール等を冷蔵する場合等に特に有益性がある。
もちろん、食品等の出し入れが容易であるため、子供や車椅子の身障者にとっても扱い易く、言わば、誰にでも優しい冷蔵庫を提供できる。
【考案を実施するための最良の形態】
【０００９】
次に、本考案にかかる冷蔵庫用食品棚（以下、「食品棚」と称する。）の最良の実施形態について、図面に基づき以下に詳細に説明する。
【００１０】
図１は本実施例の食品棚を備えた冷蔵庫を示す断面図であり、図２は本実施例の食品棚の回転盤を示す斜視図であり、図３は本実施例の食品棚の支持プレートを示す斜視図である。
なお、以下に開示するものは、本考案の実施において、最良の形態であるがこの形態に限定するものではなく、同一の目的を持った技術的思想を構成するものである限り、他の形態にしてもよい。また、図面中に付した記号は説明の便宜のためであり、限定的に解するものではない。
【００１１】
図符号１は、前面開放型の冷蔵庫である。この冷蔵庫１は、その内部側面の奥行方向に棚支持部１１を対向させて配置しており、この棚支持部１１に架け渡すように配置した食品棚２を支持している。なお、本実施例の冷蔵庫１は、食品棚２を上下方向に二段備える構造である。
【００１２】
食品棚２は、回転盤２１と支持プレート２２を上下に重ねた状態、言わば上下二重構造に構成している。
【００１３】
回転盤２１は、円形板体の外周縁から食品の落下防止ガード２１ｂを立設した上方開放の円形容器状に形成し、底板の下面外周部に複数個のキャスター２１ａを配置している。
また、この回転盤２１は、底板の中心部に後述するセンターピン２２ｂが挿入可能な孔が形成してあり、この孔の周囲に冷気循環用の複数の通気口２４を形成している。
さらに、回転盤２１の底板上面を放射状に六等分に分割し、この分割面上ににそれぞれ１から６の連続した数字２３を記載している。
【００１４】
支持プレート２２は、冷蔵庫１の棚支持部１１に架け渡し得る程度の幅を有する矩形状の板体に、回転盤２１の外周部が収納し得る円筒状のガードを立設して構成している。また。板体部の重心位置にはセンターピン２２ｂを立設し、このセンターピン２２ｂの周囲に冷気循環用の複数の通気口２４を形成している。
また、板体部上面のガード内側には、回転盤２１のキャスター２１ａが収納される溝状のレール２２ａを形成している。
【００１５】
食品棚２は、上記構成の回転盤２１、支持プレート２２により二重構造を呈し、支持プレート２２のレール２２ａに回転盤２１のキャスター２１ａが収納され、かつ回転盤中心の孔にセンターピン２２ｂが挿入されている。この構成により、回転盤２１は支持プレート２２に対してセンターピン２２ｂを回転中心として、手動でもブレを防止しつつ円滑に３６０度回転することを可能としている。
【産業上の利用可能性】
【００１６】
本考案にかかる冷蔵庫用食品棚を製造することは、企業の発展や活性化に貢献し、四角い冷蔵庫ばかりでなく、丸型冷蔵庫の製作の可能性にも寄与する。
また、この食品棚は、一般家庭用の大型冷蔵庫用、商業用の大型冷蔵庫用として販売等すれば、家庭とホテルやレストラン等において、取り扱い性や品質管理が向上するため、産業上の利用性を十分に具備するものである。
【図面の簡単な説明】
【００１７】
【図１】本実施例の食品棚を備えた冷蔵庫を示す断面図である。
【図２】本実施例の食品棚の回転盤を示す斜視図である。
【図３】本実施例の食品棚の支持プレートを示す斜視図である。
【符号の説明】
【００１８】
１  冷蔵庫
１１  棚支持部
２  食品棚
２１  回転盤
２１ａ  キャスター
２１ｂ  落下防止ガード
２２  支持プレート
２２ａ  レール
２２ｂ  センターピン
２３  数字
２４  通気口
【手続補正６】
【補正対象書類名】図面
【補正対象項目名】全図
【補正方法】変更
【補正の内容】
【図１】
0003113325.tif 000006
【図２】
0003113325.tif 000007
【図３】
0003113325.tif 000008